(57)【要約】      （修正有）【課題】雑誌、書籍、チラシなどを積層した被包装材をしっかりと胴巻き包装するとともに、処理能力が高い胴巻き装置を提供する。【解決手段】被包装材５に対して上方から下降するプレス装置１２のプレス板がこの被包装材５の上面に折られた後部シート部分をプレスするが、この場合、被包装材５が沈むぐらいに圧がかけられる。そして上下移動把持部６が粘着テープ部分４を矢印方向に引っ張って、上記プレス装置１２によりプレスされその負荷で沈んだ状態の後シート３ｂに前シート３ａを重ね、粘着テープ４ａを後部シート３ｂに貼り付けする。【選択図】図６
2011111214.tif 000002
【特許請求の範囲】
【請求項１】
前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接する一方、被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り止め、その状態で次の所定位置へ搬送し、所定位置において被包装材対して上方から、被包装材を横断方向の両側から挟み止める上下移動挟み止装置と、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえ、その状態で、押さえ装置と粘着テープ貼り付け装置が動作して、押さえ装置が重ね押さえられた包装シートの側面中央部分側面を押さえ、テープ貼り付け装置が包装シートを粘着テープで貼り付けしてなることを特徴とする胴巻き包装装置。
【請求項２】
前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接する一方、被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り付けしてなることを特徴とする胴巻き包装装置。
【請求項３】
搬送方向に被包装シートが胴巻きされてなる被包装材に対して上方から、被包装材を横断方向の両側から挟み止める上下移動挟み止装置と、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえ、その状態で、押さえ装置と粘着テープ貼り付け装置が動作して、押さえ装置が重ね押さえられた包装シートの側面中央部分側面を押さえ、テープ貼り付け装置が包装シートの重なり部分を粘着テープで貼り止めしてなることを特徴とする胴巻き包装装置。
【請求項４】
前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接してなることを特徴とする胴巻き包装装置。
【請求項５】
被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り付けしてなることを特徴とする胴巻き包装装置。
【請求項６】
両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえてなることを特徴とする胴巻き包装装置。
【請求項７】
両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえてなることを特徴とする胴巻き包装装置。
【発明の詳細な説明】
【技術分野】
【０００１】
本発明は雑誌、書籍、チラシなどを積層した被包装材を胴巻き包装する胴巻き装置に関する。
【背景技術】
【０００２】
従前から、雑誌、書籍、チラシなどを積層した被包装材を胴巻き包装する包装装置に関する技術手段は種々知られている。
たとえば、特許第３４０３４３５号、特開平０２−９８５０６号、特開平２１０−３３８２０６号に示されている手段がある。特許第３４０３４３５号に示された手段はエレベーター上で作業が集中的に行なわれるため、迅速な処理を求めることが難しいという不満があったものである。また、特開平０２−９８５０６号および特開平１０−３３８２０６号に示された手段は、胴巻き包装の際に積載物を圧縮する手段を欠いているため、しっかりと包装されていないという欠点があったものである。
【特許文献１】特許第３４０３４３５号
【特許文献２】特開平０２−９８５０６号
【特許文献３】特開平１０−３３８２０６号
【発明の開示】
【発明が解決しようとする課題】
【０００３】
本発明は、雑誌、書籍、チラシなどを積層した被包装材をしっかりと胴巻き包装するとともに、処理能力が高い胴巻き装置を提供することにある。
【課題を解決するための手段】
【０００４】
本発明に係る胴巻き装置は、前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接する一方、被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り付け、その状態で次の作業位置へ搬送し、次の作業位置において、被包装材対して上方から、被包装材を横断方向の両側から挟み止める上下移動挟み止装置と、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえ、その状態で、押さえ装置と粘着テープ貼り付け装置が動作して、押さえ装置が重ね押さえられた包装シートの側面中央部分側面を押さえ、テープ貼り付け装置が包装シートを粘着テープで貼り付けしてなるものである。
また、本発明に係る胴巻き装置は、前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーを当接せしめてなるものである。
そしてまた、本発明に係る胴巻き装置は、搬送方向に被包装シートが胴巻きされてなる被包装材に対して上方から、被包装材を横断方向の両側から挟み止める上下移動挟み止装置と、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえ、テープ貼り付け装置が包装シートを粘着テープで貼り付けしてなるものである。
さらに、本発明に係る胴巻き装置は、前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接してなるものである。
さらにまた、本発明に係る胴巻き装置は、被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り付けしてなることものである。
また、本発明に係る胴巻き装置は、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえてなるものである。
【発明の効果】
【０００５】
本発明に係る胴巻き包装装置によれば、被包装材をたるみなくしっかりと胴巻き包装できるとともに、処理能力が高い効果が得られる。
【図面の簡単な説明】
【０００６】
【図１】本発明に係る胴巻き包装装置の概略側面図である。
【図２】本発明に係る胴巻き包装装置の概略側面図である。
【図３】本発明に係る胴巻き包装装置の概略側面図である。
【図４】本発明に係る胴巻き包装装置の概略側面図である。
【図５】本発明に係る胴巻き包装装置の概略側面図である。
【図６】本発明に係る胴巻き包装装置の概略側面図である。
【図７】本発明に係る胴巻き包装装置の概略側面図である。
【図８】本発明に係る胴巻き包装装置の概略側面図である。
【図９】本発明に係る胴巻き包装装置の概略側面図である。
【図１０】本発明に係る胴巻き包装装置の概略側面図である。
【図１１】本発明に係る胴巻き包装装置の概略側面図である。
【図１２】本発明に係る胴巻き包装装置の概略側面図である。
【図１３】本発明に係る胴巻き包装装置の図面代用写真である。
【図１４】本発明に係る胴巻き包装装置の図面代用写真である。
【図１５】本発明に係る胴巻き包装装置の図面代用写真である。
【図１６】本発明に係る胴巻き包装装置の図面代用写真である。
【図１７】本発明に係る胴巻き包装装置の図面代用写真である。
【発明を実施するための形態】
【０００７】
本発明に係る胴巻き包装装置は、前縁から一部が延出した粘着テープが貼着してなる包装シートの上に被包装材を置いて所定位置へ搬送し、所定位置においてこの被包装材前縁から延出した粘着テープ部分を上下移動把持部により把持して包装シートの前シートを包装シート上方に押し上げるとともに、下方から上下移動ストッパーが上昇して前シートを上方に押し上げつつ被包装材の前部にストッパーが当接する一方、被包装材の後部に対して下方から回転ローラ付き上下移動プッシャーが上昇して包装シートの後シートをこの回転ローラが被包装材の後部側面に沿って押し上げ被包装材の上面に折ってこれを押さえると同時に上下移動プッシャーが寄って被包装材の後部に当接し、ついで被包装材に対して上方から下降するプレス装置のプレス板がこの被包装材の上面に折られた後部シート部分をプレスし、上下移動プッシャーは下降し把持部は粘着テープ部分を引っ張り、プレスされその負荷で沈んだ状態の後部シート部分に前シートを重ね、粘着テープを後部シートに貼り付け、その状態で次の所定位置へ搬送し、所定位置において被包装材対して上方から、被包装材を横断方向の両側から挟み止める上下移動挟み止装置と、両側に内羽と内羽より斜め前方に配される外羽が被包装材の側面部に対して左右にそれぞれ一対配置された上下移動折り装置とが下降し、内羽は包装シートの側面中央部分を押し下げ被包装材の側面側に折って押さえ、また外羽は包装シートの側面両隅部分を被包装材の側面に折って寄せ、ついで、包装シートの側部より少し内羽と外羽は離れてから左右内羽と左右外羽は互いに間隔を閉じあるいは近接するまで内方向に移動することにより包装シートのサイド折りがなされ、内羽と外羽はその状態で下降して内羽は包装シートの側面中央部分側面を、また外羽は側部シートの両隅部分を押さえ、その状態でテープ貼り付け装置が包装シートを粘着テープで貼り止めしてなるものである。
【実施例１】
【０００８】
以下、本発明の胴巻き包装装置について、実施例に基づき説明する。
本発明に係る胴巻き包装装置１によれば、水平移送ベルトコンベヤ２上に順次繰り出される包装シート３は、半分が包装シート３に貼られ残りの半分が前縁３aから延出した粘着テープ４を有し、この包装シート３の上に雑誌、書籍、チラシなどを積層した被包装材５が置かれて包装シート３上にこの被包装材５をのせて次の作業位置へ水平搬送される。そして、次の作業位置においては、この被包装材５に対して下方から上下移動把持部６と上下移動ストッパー７が上昇する。上下移動把持部６は包装シート３の前シート３aの前縁から延出した粘着テープ部分４aを把持して包装シート３の前シート３aを被包装材５の上方に押し上げ、それとともに上下移動ストッパー７が被包装材５の前部を受け止める。
他方、被包装材５の後部に対して下方から回転ローラ付き上下移動プッシャー９が上昇する。包装シート３の後シート３ｂはこの回転ローラ１０によりたわみが取られつつ被包装材５の後部側面に沿って押し上げられ、さらに被包装材５の上面に上記回転ローラ１０が達すると、上下移動プッシャー９が被包装材５の後部に前進して当接し、これにより回転ローラ１０は被包装材５の上面で後シート３ｂのたわみを取りながらこれを折って押さえる。ついで被包装材５に対して上方から下降するプレス装置１２のプレス板１３がこの被包装材５の上面に折られた後部シート部分をプレスするが、この場合、被包装材５が沈むぐらいに圧がかけられる。そして上下移動把持部６が粘着テープ部分４を図６に示す矢印方向に引っ張って、上記プレス装置１２によりプレスされその負荷で沈んだ状態の後シート３ｂに前シート３ａを重ね、粘着テープ４ａを後部シート３ｂに貼り付けする。このように、上下移動把持部６の粘着テープ４ａの引っ張り時にプレス装置１２により被包装材５を沈ませた状態で貼り止めするから包装シート３はしっかりと胴巻き（タイトに）包装される。またこの把持部６による粘着テープ４ａ引っ張り時にコンベヤ２を図６に示す矢印方向に回転すると包装シート３の余り（たるみ）取りの作用効果がある。
尚、上記実施例において、上下移動把持部６はグリップローラー１４と上下移動自在な撫で付けパッド装置１５により粘着テープ４ａの延出部分を把持するものであるが、グリップローラー１４の素材を難粘着素材としているので把持を解けば粘着テープも解放されるように構成し、この粘着テープ４ａの抜け（解放）を検知して撫で付けパッド装置１５による粘着テープ４ａの貼り付け動作に移行するようにしている。これにより前シート３ａの長さに関係なく一定の張力で粘着テープ４が貼り付けできる。１６はエアー吹きで、グリップローラー１４による包装シート３のグリップ時にエアーを吹き付けることで包装シート３を湾曲させ、腰を持たせることで、巻き回し動作での包装シート３のふらつきを出さないようにしている。
【０００９】
その状態で次の作業位置へ水平搬送される。次の作業位置において被包装材対して上方から、被包装材５を横断方向の両側から挟み止める上下移動・挟止装置１７と、両側に内羽１８と内羽１８より斜め前方に配される外羽１９が被包装材５の側面部に対して左右にそれぞれ一対配置された上下移動・折り装置２０とが下降する。そして上下移動・折り装置２０の内羽１８は包装シート３をその側面中央部分を押し下げ被包装材５の側面側に折って押さえ、また外羽１９は包装シート３の側面両隅部分を被包装材の側面に折って寄せて、それぞれ折りぐせを付ける。ついで、包装シートの側部より少し両羽１８，１９は離れてから横方向に移動して両内羽１８と両外羽１９は互いに閉じあるいは近接するまで幅寄せられて包装シート３のサイド折りがなされる。そして両羽１８，１９はその状態で下降する。これにより両内羽１８は包装シート３ｃの側面中央部分側面を、また両外羽１９は側部シート３ｃの両隅部分を押さえる。この一連の内羽と外羽の動作により包装シートはしっかりと（タイトに）被包装材５に押さえられているから、その状態で、下折り板装置２１と粘着テープ貼り付け装置２２が上昇して、下折り板装置２１が包装シート３の側面中央部分側面を押さえ、テープ貼り付け装置２２が包装シート３の重なり部分に粘着テープ２３で貼り止めする。この実施例では、このとき、包装シート３の側面中央部分側面の押さえに補助押さえ具２４も使用している。
これにより、被包装材への包装シートによる胴巻き包装が完了する。
【００１０】
図中、２５はプッシャー、２６は送り出しコンベヤ、２７は移送コンベヤ、２８は後シート３ｂに前シート３ａを重ねる時に使用される押さえ軸。２９は被包装物５を横断方向で包装シート３の上から挟持する挟持装置である。
【００１１】
図１３〜図１７は本発明に係る胴巻き包装装置の一実施例を示す図面代用写真である。図１３は被包装物の上面において接着テープが貼り付けされる状態を示し、図１４は図１３に示す作業が終了し、被包装物が次の工程へ送り出された直後の状態を示している。図１５は上下移動・挟止装置１７の下方に被包装物が送り込まれた状態を、図１６は上下移動・挟止装置１７が下降した状態を、図１７は胴巻き包装が完了した状態をそれぞれ示している。
【産業上の利用可能性】
【００１２】
本発明に係る胴巻き包装装置によれば、被包装材に包装シートをたるみなくしっかりと胴巻き包装することができるとともに、被包装材を水平移動させながら胴巻き包装できるので、被包装材の積載状態を崩さず迅速に処理できるなどの顕著な効果が得られる。
【符号の説明】
【００１３】
１    本発明に係る胴巻き包装装置
２    水平移送ベルトコンベヤ
３    包装シート
４    粘着テープ
５    被包装材
６    上下移動把持部
７    上下移動ストッパー  
９    回転ローラ付き上下移動プッシャー
１０  回転ローラ
１２  プレス装置
１３  プレス板
１４  グリップローラー
１５  撫で付けパッド装置
１６  エアー吹き  
１７  上下移動・挟止装置
１８  内羽
１９  外羽
２０  上下移動・折り装置
２１  下折り板装置
２２  テープ貼り付け装置
２３  粘着テープ
２４  補助押さえ具
２５  プッシャー
２６  送り出しコンベヤ
２７  移送コンベヤ
２８  押さえ軸
２９  挟持装置
【図１】
2011111214.tif 000003
【図２】
2011111214.tif 000004
【図３】
2011111214.tif 000005
【図４】
2011111214.tif 000006
【図５】
2011111214.tif 000007
【図６】
2011111214.tif 000008
【図７】
2011111214.tif 000009
【図８】
2011111214.tif 000010
【図９】
2011111214.tif 000011
【図１０】
2011111214.tif 000012
【図１１】
2011111214.tif 000013
【図１２】
2011111214.tif 000014
【図１３】
2011111214.tif 000015
【図１４】
2011111214.tif 000016
【図１５】
2011111214.tif 000017
【図１６】
2011111214.tif 000018
【図１７】
2011111214.tif 000019